(57)【要約】【課題】撮影を行う操作者が被写体と同じ空間にいて撮影を行うとともに、被写体が撮影された姿を等身大の大きさでその撮影場所においてすぐに確認することができる画像処理装置を提供することである。【解決手段】被写体の全身を写すハーフミラー２ａを備える第１の筐体２の内部に設置され、ハーフミラー２ａを介して被写体を撮影する撮影手段３と、撮影手段３により撮影された被写体の全身の画像を、第２の筐体４の内部からハーフミラー４ａ越しに表示する表示手段５と、第１及び第２の筐体が設置される空間と同じ空間に設置され、撮影手段３と表示手段５を制御する制御手段６とを備える。【選択図】  図１
2008005113.tif 000002
【特許請求の範囲】
【請求項１】
被写体の全身を写すハーフミラーを備える第１の筐体の内部に設置され、前記ハーフミラーを介して前記被写体を撮影する撮影手段と、
前記撮影手段により撮影された前記被写体の全身の画像を、第２の筐体の内部からハーフミラー越しに表示する表示手段と、
前記第１及び第２の筐体が設置される空間と同じ空間に設置され、前記撮影手段と前記表示手段を制御する制御手段と、
を備えることを特徴とする画像処理装置。
【請求項２】
前記撮影手段は、前記第１の筐体内部における任意の位置から被写体を撮影することを可能とする駆動手段を備えること特徴とする請求項１に記載の画像処理装置。
【請求項３】
前記表示手段は、前記制御手段の制御により、前記被写体の全身の画像とは別の任意の画像も表示することが可能であること特徴とする請求項１または請求項２のいずれかに記載の画像処理装置。
【請求項４】
前記第２の筐体内に前記表示手段を複数設置することを特徴とする請求項１ないし請求項３のいずれかに記載の画像処理装置。
【請求項５】
前記第２の筐体内に設置された前記複数の表示手段は、前記複数の表示手段全体で前記被写体の全身の画像を表示することを特徴とする請求項４に記載の画像処理装置。
【請求項６】
前記第２の筐体内に設置された前記複数の表示手段は、前記複数の表示手段ごとに前記被写体の全身の画像を表示することを特徴とする請求項４に記載の画像処理装置。
【請求項７】
前記第１の筐体と前記第２の筐体は、移動可能に構成されていることを特徴とする請求項１ないし請求項６のいずれかに記載の画像処理装置。
【発明の詳細な説明】
【技術分野】
【０００１】
本発明は、画像を撮影し、表示する画像処理装置に関する。
【背景技術】
【０００２】
従来より、アパレル製品を販売する店舗においては、例えば過去に試着した複数のアパレル製品をパソコン等の画面上で比較することができるようにしている店舗もある。また、このようなアパレル製品販売支援方法やその支援装置に関する発明もなされている（特許文献１参照）。
【０００３】
この特許文献１に開示されている発明は、客がアパレル製品の試着を行う試着室に、一定の撮影環境を構築しておき、複数回の試着状態をそれぞれ撮影し、各回の試着状態をそれぞれ記憶し、複数回の試着状態の画像を比較表示して、客にアパレル製品の選択を行わせることが可能なアパレル製品販売支援方法を提供する。
【特許文献１】特開２００２−２０７８０２号公報
【発明の開示】
【発明が解決しようとする課題】
【０００４】
しかしながら、上述の提案では、アパレル製品を試着して撮影を行う試着室と撮影された画像を見て比較する場所が異なる。そのため、試着室において撮影を行う場合、試着を行った客はどのように自分が撮影されるかはわからず、撮影された姿を想像するしかなく、確認は撮影後の画像で行われる。この撮影後の画像は、パソコン等の情報端末のモニタを利用して行われるが、このモニタでは被写体（客）が等身大に表示されるわけではなく、しかも表示させる画像データが多くなればなるほど表示される画像の大きさはさらに小さくなり見にくくなる。また、比較を行うためには試着室を出て比較を行う場所まで移動しなければならず、撮影された姿をその場所（試着室）で確認することはできない。場合によっては、比較を行う場所まで移動するために試着室を出るたびに着替えなければならない等、手間がかかる。
【０００５】
さらに、試着室はその中で着替えることを予定しているため、試着室の外とは通常カーテン等で区切られている。この試着室内で撮影が行われる場合、当然撮影者は試着室の外から撮影作業を行うことになるが、試着する客はいつ撮影が行われるのかが掴みにくいこともあり、客に盗撮されているのではないかとの不安を与えることにもなる。
【０００６】
本発明は上記課題を解決するためになされたものであり、本発明の目的は、撮影を行う操作者が被写体と同じ空間にいて撮影を行うとともに、被写体が撮影された姿を等身大の大きさでその撮影場所においてすぐに確認することができる画像処理装置を提供することである。
【課題を解決するための手段】
【０００７】
本発明の実施の形態に係る特徴は、画像処理装置において、被写体の全身を写すハーフミラーを備える第１の筐体の内部に設置され、ハーフミラーを介して被写体を撮影する撮影手段と、撮影手段により撮影された被写体の全身の画像を、第２の筐体の内部からハーフミラー越しに表示する表示手段と、第１及び第２の筐体が設置される空間と同じ空間に設置され、撮影手段と表示手段を制御する制御手段とを備える。
【発明の効果】
【０００８】
本発明によれば、撮影を行う操作者が被写体と同じ空間にいて撮影を行うとともに、被写体が撮影された姿を等身大の大きさでその撮影場所においてすぐに確認することができる画像処理装置を提供することができる。
【発明を実施するための最良の形態】
【０００９】
以下、本発明の実施の形態について図面を参照して詳細に説明する。
【００１０】
（第１の実施の形態）
本発明の第１の実施の形態における画像処理装置１は、図１に示すように、第１の筐体２の内部に設けられている撮影手段３と、第２の筐体４の内部に設けられている撮影された画像を表示する表示手段５と、撮影手段３と表示手段５を制御する制御手段６とを備えている。撮影手段３と表示手段５はそれぞれ第１の筐体２及び第２の筐体４内にあり、また両筐体の前面は全面ハーフミラー２ａ、４ａで構成されておりその内部は見えないことから、撮影手段３と表示手段５は図１において示されていない。
【００１１】
なお、第１の実施の形態における画像処理装置１では、被写体の撮影等のみを行い、試着は別途設けられている試着室にて行われる。そのため被写体となる客は試着室で試着をした後、画像処理装置１で撮影等を行う。但し、ジャケットやアクセサリー等、試着するものによっては、画像処理装置１内での試着ができることはもちろんである。
【００１２】
図１では壁Ｗ１の際に壁Ｗ１と並行になるように第１の筐体２が設置され、第２の筐体４はその奥行きを確保するために壁Ｗ１とＷ２の接する部分に背面が納まるように設置されている。制御手段６を構成する、例えばパソコン等の情報端末は壁Ｗ２の際に壁Ｗ２と並行になるように置かれている。被写体となる客は第１の筐体２の正面の位置（図１において床面に示されている×印）に立ち、その背後（第１の筐体２と対向する位置）に背景７が設置される。図１において背景７は、画像処理装置１の全体を示すため点線で表わしている。
【００１３】
本発明の実施の形態において画像処理装置１を構成する各手段はこのような位置にそれぞれ配置されているので、第１の筐体２及び第２の筐体４と被写体の立つ位置関係から、被写体となる客は自らが立っている位置から現在の自分の姿と撮影された自分の姿とをその位置を変えることなく確認することができる。また、制御手段６は、例えば店の店員等が操作者となって操作する。従って、被写体である客と操作者である店員等の間でコミュニケーションを取りつつ撮影等が行われる。
【００１４】
図２はこの画像処理装置１を構成する各手段の位置関係を上方から見て表わした図である。第１の筐体２と第２の筐体４は天板を外してその内部が見えるようにしている。また、図３は第１の筐体２と第２の筐体４の内部をそれぞれ左側面から見た図である。
【００１５】
第１の筐体２の内部には撮影手段３が設けられており、駆動手段３ａによって第１の筐体２内において上下左右に移動し、任意の位置からこの第１の筐体２（ハーフミラー２ａ）の前にいる被写体を撮影することができるようにされている。また、撮影手段３の被写体に対する角度も変えることができるようにされていることから、例えば、女性が横に並んだ男性からどのように見えるのか、といった男性からの目線で自分の姿を客観的に見ることができる。ここで、撮影手段３は、例えば、デジタルカメラ等、静止画或いは動画の一方または両方を撮影できる機器が好適に用いられる。
【００１６】
第１の筐体２において被写体と対向する面、すなわち第１の筐体２の前面には、ハーフミラー２ａが全面にわたって複数の取り付け金具２ｂによって取り付けられているとともに、第１の筐体２の前面には撮影時に被写体を照らす照明２ｃが左右両側に設けられている。なお、被写体が体を回転させるごとに撮影（録画）することによって、ハーフミラー２ａには被写体正面の姿を、ハーフミラー４ａには被写体の例えば、背面の姿を映し出すこともでき、被写体（客）は複数の自分の姿を同時に確認することができる。
【００１７】
第２の筐体４の内部には表示手段５が設置されており、取り付け金具４ｂによって第２の筐体４の前面全体に取り付けられたハーフミラー４ａを介して画像を表示する。なお、本発明の実施の形態においては、以下、投影型の表示手段、例えばプロジェクターを例に挙げて説明を行うが、表示手段はこれに限られるわけではなく、例えば液晶ディスプレイ、プラズマディスプレイまたは有機ＥＬ（Erectronic Luminescence）等のフラットパネルディスプレイ等でも良い。
【００１８】
第１の実施の形態においては、表示手段５から照射された画像を一旦反射板４ｃで反射させてから表示している。これはハーフミラー４ａに写る被写体の画像を、例えば等身大の大きさで表示させるために、照射距離を必要とするからである。そのため、第２の筐体４の形状を変形した六角形とするとともに（図１、図２の第２の筐体４の形状を参照）、表示手段５を第２の筐体４の前面に近い位置に配置している。このようにすることで、図２の第２の筐体４において示す矢印のように、第２の筐体４の裏面側から直接画像を照射する構成を採用するよりも照射距離を稼ぐことができる。
【００１９】
なお、第１の実施の形態においては、第２の筐体４の背面の形状を変形して全体として六角形とした例を挙げて説明をしているが、第２の筐体４の背面の形状については、照射距離を稼ぐことができれば、例えば、六角形以外の多角形、若しくは円弧状またはそれらを組み合わせた形状であっても良い。
【００２０】
第１の筐体２及び第２の筐体４には、例えばキャスター等が設けられており、その位置を用意に変化させることができる。例えば、本発明の実施の形態においては、第１の筐体２の前に立つ被写体から見やすいように第２の筐体４を被写体側に向くように設置しているが、その角度は任意に変更することができる。
【００２１】
背景７は、被写体を際だたせるとともに比較しやすいように無地の背景を採用しても良く、それに限られず、撮影時に例えば風景等が写り込む要にしても良い。また、背景７の設置方法は布地を垂らす、或いは板等を用いる等、背景の役割を果たすものであればどのようなものであっても良い。
【００２２】
図４は、第１の筐体２、第２の筐体４及び制御手段６との電気的な接続関係を示すブロック図である。図４に明らかなように、第１の筐体２に設けられている撮影手段３、駆動手段３ａ及び照明２ｃ、また第２の筐体４内の表示手段５のいずれも制御手段６と、例えばＬＡＮを介して接続されており、制御手段６によって制御されている。
【００２３】
なお、図４には示していないが、制御手段６を構成するのは、制御端末６Ｘのみではなく、例えば、制御端末６Ｘに接続されるプリンタ等の外部機器も含む。照明２ｃについては、例えば独立したスイッチを設ける等、その制御（ＯＮ、ＯＦＦ）を制御手段６による制御ではなく行うことができるようにしても良い。
【００２４】
図５に示す制御手段６は、ＣＰＵ（Central Processing Unit）６ａと、ＲＯＭ(Read Only Memory)６ｂと、ＲＡＭ（Random Access Memory）６ｃ及び入出力インターフェイス６ｄがバス６ｅを介して接続されている。入出力インターフェイス６ｄには、入力手段６ｆと、通信制御手段６ｇと、記憶手段６ｈと、リムーバブルディスク６ｉと、駆動制御手段６ｊとが接続されている。
【００２５】
ＣＰＵ６ａは、入力手段６ｆからの入力信号に基づいてＲＯＭ６ｂから例えば、画像処理装置１を起動するためのブートプログラムを読み出して実行し、記憶手段６ｈに格納されている各種オペレーティングシステムを読み出す。さらにＣＰＵ６ａは、入力手段６ｆや入出力インターフェイス６ｄを介しての、例えば、撮影手段３からの入力信号に基づいて表示手段５の制御を行ったり、ＲＡＭ６ｃや記憶手段６ｈ等に記憶されたプログラム及びデータを読み出してＲＡＭ６ｃにロードするとともに、ＲＡＭ６ｃから読み出されたプログラムのコマンドに基づいて、データの計算または加工等、一連の処理を実現する処理装置である。
【００２６】
入力手段６ｆは、画像処理装置１の操作者が各種の操作を入力するマウス等の入力デバイスにより構成されており、操作者の操作に基づいて入力信号を作成しバス６ｅを介してＣＰＵ６ａに送信される。なお、本発明の実施の形態における画像処理装置１では、図１にも示すようにマウスを用いるようにされているが、キーボード等の入力デバイスを介して操作画面に対する操作を行うこともできる。
【００２７】
また、本発明の実施の形態における画像処理装置１では、被写体の姿を等身大で映し出すために第２の筐体内に表示手段５を設けていることから、制御手段６内に表示機器を設けていないが、この表示手段５とは別に、例えばモニタ等の表示機器を制御手段６に接続しても良い。
【００２８】
通信制御手段６ｇは、ＬＡＮカードやモデム等の手段であり、画像処理装置１をインターネットやＬＡＮ等の通信ネットワークに接続することを可能とする手段である。通信制御手段６ｇを介して通信ネットワークと送受信したデータは入力信号または出力信号として、入出力インターフェイス６ｄ及びバス６ｅを介してＣＰＵ６ａに送受信される。
【００２９】
記憶手段６ｈは、半導体や磁気ディスクで構成されており、ＣＰＵ６ａで実行されるプログラムやデータが記憶されている。リムーバブルディスク６ｉは、光ディスクやフレキシブルディスクのことであり、ディスクドライブによって読み書きされた信号は、入出力インターフェイス６ｄ及びバス６ｅを介してＣＰＵ６ａに送受信される。
【００３０】
本発明の実施の形態における画像処理装置１の記憶手段６ｈには、例えば、画像処理装置１を利用して撮影を行った顧客ごとの撮影データが記憶されており、過去の撮影データと現在撮影された撮影データとを比較することも可能とされている。また、この顧客ごとの撮影データは、リムーバブルディスク６ｉに格納されて、例えば顧客に渡す等されても良い。
【００３１】
駆動制御手段６ｊは、例えば、撮影手段３や表示手段５のピントを合わせたり、撮影手段３を任意の位置に移動させるための駆動手段３ａを駆動させる。
【００３２】
図６は第２の筐体４のハーフミラー４ａに表示される画像の一例を示した説明図である。この図６では第２の筐体４の全面に画像が表示されるように表わしているが、表示手段５の照射距離や照射範囲に合わせて制御手段６により表示範囲を任意の広さに調節することができるようにされている。
【００３３】
本発明の実施の形態におけるハーフミラー４ａの最下部には、被写体の撮影等を行うための、例えば、「メニュー」、「終了」、「停止」、「録画」の４つのボタンが設けられている。ここに表示される画像は、例えば、パソコンにおけるモニタの役割をも果たすものであることから、画像処理装置１全体の制御は、このハーフミラー４ａに映し出された画像を見ながら行われる。また、各種制御を行うための入力にはマウス等の入力手段が用いられる。実際に被写体の撮影が行われる際には、第１の筐体２（撮影手段３）の前に被写体がいて、撮影等を行う操作者が第２の筐体４に映し出された画像を見ながら制御手段６を操作して撮影等を行う。なお、ここに挙げた各種のボタンは、例示であり、さらに例えば、「ヘルプ」、「撮影」等のボタンを設けるようにしても良い。
【００３４】
図７は「メニュー」ボタンを押した（クリックした）場合に表示される画面例を表した図である。本発明に係る画像処理装置１は、被写体が装飾品（以下、アパレル製品、貴金属、服飾品等、身体に身につけるもの全てを包含する概念を「装飾品」と表わす。）を身につけて撮影がされた場合に、被写体が撮影された姿を等身大の大きさでその撮影場所においてすぐに確認することができるようにされていることから、メニューに設けられている項目もその目的に沿ったものである。例えば、「画像比較」を選択すると、第１の筐体２の前にいる現在の被写体と、制御手段６の記憶手段６ｈ内に記憶されていた過去の画像データの被写体とを等身大で比較することができる。或いは、現在の被写体を複数の側面から映し出して比較することも可能である。なお、ここに言う「等身大」は、現在第１の筐体２のハーフミラー２ａに映し出されている被写体の姿と第２の筐体４のハーフミラー４ａに映し出される被写体の画像の大きさが等しいことを指している。
【００３５】
また、「仮想試着」は、現在撮影された画像に記憶手段６ｈ内に記憶されている画像を合成することで、試着した結果を仮想的に表示させる機能である。例えば、被写体が服を試着して撮影手段３によって撮影された画像に、予め制御手段６の記憶手段６ｈ内に記憶されていた、例えば帽子や靴、イアリングやブレスレッド等のアクセサリーの画像を合成して表示させることにより、コーディネートを確認することができる。
【００３６】
以上のような構成を採用することにより、被写体は撮影された自身の姿を等身大の大きさでその撮影場所においてすぐに確認することができるとともに、撮影を行う操作者が被写体と同じ空間にいて撮影を行うことになるため、盗撮のおそれがなくなり、商品の販売にあたって客と店側のコミュニケーションも十分に取ることができる画像処理装置を提供することができる。
【００３７】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００３８】
図８は、第２の実施の形態にかかる画像処理装置１０を示す全体図である。第１の実施の形態と比べて、第２の筐体４０の内部に表示手段５０が複数設けられている点、第２の筐体４０の形状、及び被写体を撮影する撮影手段３０が設けられている点が異なる。
【００３９】
図８に示すように、第２の筐体４０内には複数の表示手段５０が設けられており、個々の表示手段５０ごとに画像を表示することができるようにされている。第２の実施の形態においては図９にも示されているように、ハーフミラー４０ａが９分割されている例を示しており、第２の筐体４０内には表示手段５０が９つ設けられている。
【００４０】
また、第２の実施の形態における画像処理装置１を構成する各手段の位置関係を上方から見て表わした図である図１０に示されているように、第２の筐体４０は直方体であり、第１の実施の形態における第２の筐体４のように六角形とはされていない。これは個々の表示手段５０の表示範囲が第１の実施の形態における表示手段５の表示範囲と比べて小さくなっており、表示範囲が小さくなれば各表示手段５０が画像を表示するにあたって必要とされる照射距離は短くなるため、第２の筐体４０の奥行きを確保する必要がなくなるためである。
【００４１】
次に、第２の筐体４０内に撮影手段３０が設けられているのは、第１の実施の形態では操作者が行っていた撮影手段３や表示手段５の操作を被写体となる客Ｘが自分で行うことを前提に画像処理装置１を構成しているからである。すなわち、例えば、特願２００５−１７２３４０号において提案されているジェスチャ認識装置等を利用する場合、操作者のハンドジェスチャを撮影手段３０が認識して撮影手段３や表示手段５を駆動させ、撮影、表示等を行うことができる。そのため、図１０において客Ｘは、撮影手段３０に向けて右手を突き出すようにしている。このジェスチャ認識装置を利用する場合には、制御手段６の記憶手段６ｈ内にジャスチャの種類が記憶されており、記憶されているジェスチャと被写体が行ったジェスチャとを比較して操作者が望む操作が行われるように制御手段６により撮影手段３や表示手段５の制御が行われる。
【００４２】
このような構成を採用することにより、被写体となる客は一人で撮影等の操作を行う事ができるようになるため盗撮のおそれはなくなるとともに、被写体は撮影された自身の姿を等身大の大きさでその撮影場所においてすぐに確認することができる画像処理装置を提供することができる、併せて、画像処理装置１を試着室と兼用とすることもできることから、このように画像処理装置１を使用することにより、設置される店舗等のスペースを効率よく使用することも可能となる。
【００４３】
なお、この発明は、上述実施の形態そのままに限定されるものではなく、実施段階ではその要旨を逸脱しない範囲で構成要素を変形して具体化できる。上述した各実施の形態においては、アパレル製品を販売する店舗において客が試着を行う例を挙げて説明したが、その他に、例えば、スポーツ等において自分のフォームを確認する場合や化粧品等の販売において化粧の確認を行う場合等にも利用することが可能である。また、記憶手段６ｈには過去に撮影された画像を格納する機能があるが、この画像を保持しておくことで顧客情報として管理し、次回また同じ使用者が画像処理装置１を使用した場合に過去の履歴情報として提示することも可能である。さらに、画像処理装置１を使用する被写体が自らの情報、例えば、自分の所有する装飾品に関する情報をＣＤ−Ｒ等の記憶媒体に記憶させておき、これらの情報を画像処理装置１内に取り込み、被写体に関する情報を補正或いは追加できるようにしても良い。また、これまでは表示手段５、５０は被写体の全身を映し出すことについて説明をしたが、その他にも、例えば「撮影中」や「店名」等、被写体の画像以外の画像も映し出すことができるようにしても良い。
【００４４】
上記実施の形態に開示されている複数の構成要素を適宜組み合わせることにより種々の発明を形成できる。例えば、実施の形態に示される全構成要素から幾つかの構成要素を削除してもよい。更に、例えば、本発明の実施の形態に係る画像処理装置１にインターネット端末を備え、装飾品の情報を適宜更新し、常に最新の装飾品の情報を具備するようにする等、異なる実施の形態に亘る構成要素を適宜組み合わせてもよい。
【図面の簡単な説明】
【００４５】
【図１】本発明の第１の実施の形態に係る画像処理装置を示す構成図である。
【図２】本発明の第１の実施の形態に係る画像処理装置を構成する各手段の位置関係を上方から見て表わした図である。
【図３】本発明の第１の実施の形態に係る第１の筐体と第２の筐体をそれぞれ左側面から見た図である。
【図４】本発明の第１の実施の形態に係る第１の筐体、第２の筐体及び制御手段との電気的な接続関係を示すブロック図である。
【図５】本発明の第１の実施の形態に係る制御手段の内部構成を示すブロック図である。
【図６】本発明の第１の実施の形態に係る第２の筐体のハーフミラーに表示される画像の一例を示した説明図である。
【図７】メニューボタンを押した（クリックした）場合に表示される画面例を表した図である。
【図８】本発明の第２の実施の形態に係る画像処理装置を示す構成図である。
【図９】本発明の第２の実施の形態に係る第２の筐体のハーフミラーに表示される画像構成の一例を示した説明図である。
【図１０】本発明の第２の実施の形態に係る画像処理装置を構成する各手段の位置関係を上方から見て表わした図である。
【符号の説明】
【００４６】
１    画像処理装置
２    第１の筐体
２ａ  ハーフミラー
２ｂ  取り付け金具
２ｃ  照明
３    撮影手段
４    第２の筐体
４ａ  ハーフミラー
４ｂ  取り付け金具
４ｃ  反射板
５    表示手段
６    制御手段
【図１】
2008005113.tif 000003
【図２】
2008005113.tif 000004
【図３】
2008005113.tif 000005
【図４】
2008005113.tif 000006
【図５】
2008005113.tif 000007
【図６】
2008005113.tif 000008
【図７】
2008005113.tif 000009
【図８】
2008005113.tif 000010
【図９】
2008005113.tif 000011
【図１０】
2008005113.tif 000012